(57)【要約】      （修正有）【課題】高枝用長尺挟の牽引力伝達部材の制御構造を提供する。【解決手段】二つのブレードが枢着されることからなる刃部１０があり、刃部が、揺動装置１１により、延伸棒２０の棒体の一端に結合され、刃部が、牽引力伝達部材３０によって制御され、刃部と延伸棒との境界において、棒体の端口に、二つの滑車４０が枢着され、上記二つの滑車が、操作用牽引力伝達部材の両側に位置し、滑車の外周に形成させてある溝４１が対向するように、牽引力伝達部材がその間に挟まれ、上記滑車の外側において、延伸棒の端部に、スリーブ５１を介して、制限シート５０が結合される。  【選択図】図３
0003162298.tif 000002
【実用新案登録請求の範囲】
【請求項１】
二つのブレードを枢着してなる刃部を有し、刃部が、延伸棒の棒体の一端に結合され、牽引力伝達部材によって制御される長尺鋏の牽引力伝達部材の制御構造であって、
刃部と延伸棒との境界において、棒体の端口に、牽引力伝達部材の両側に位置して、滑車で、牽引力伝達部材を挟むように、二つの滑車を枢着してなり、
牽引力伝達部材を引っ張ることにより、二つの滑車が転動し、スムーズに作動させる、
ことを特徴とする長尺鋏の牽引力伝達部材の制御構造。
【請求項２】
前記刃部が、揺動装置によって、延伸棒の棒体の一端に結合されてなることを特徴とする請求項１に記載の長尺鋏の牽引力伝達部材の制御構造。
【請求項３】
前記牽引力伝達部材が、方向変更部材を回ってから、延伸棒内に挿入され、延伸棒の外周に貫設された摺動スリーブの孔部から、挿通してから、端部において、牽引力伝達部材が孔部から引き戻されることを防止するため、結び目を形成してなることを特徴とする請求項１に記載の長尺鋏の牽引力伝達部材の制御構造。
【請求項４】
前記滑車の外周に、溝が形成され、牽引力伝達部材が、溝同士の隙間に挟まれることを特徴とする請求項１に記載の長尺鋏の牽引力伝達部材の制御構造。
【請求項５】
前記滑車の外側において、延伸棒に、制限シートが結合されることを特徴とする請求項１に記載の長尺鋏の牽引力伝達部材の制御構造。
【請求項６】
前記滑車の外側において、制限シートが、スリーブを介して、延伸棒に、結合されてなることを特徴とする請求項５に記載の長尺鋏の牽引力伝達部材の制御構造。
【考案の詳細な説明】
【技術分野】
【０００１】
本考案は、長尺鋏の牽引力伝達部材の制御構造に関するものであり、さらに詳しくは、牽引力伝達部材の制御構造を有する長尺鋏又はロング鋏に関するものであり、特に、牽引力伝達部材をスムーズに操作することができる長尺鋏の構造に関するものである。
【背景技術】
【０００２】
従来の長尺鋏は、樹木の高枝の剪定及び仕上げ等に使用され、また、高所の果実の採取等に利用されている。かかる長尺鋏を使用することにより、ユーザーが、高い箇所において、作業することによる危険性を回避することができ、また、樹木の下で、剪定等の作業をすることができるので、高所に昇る必要がない点で、作業効率が向上し、作業時間を短縮することができる。
【０００３】
しかしながら、従来の長尺鋏は、操作する時、直接に、ロープ、ワイヤ等で、刃部の開閉を制御するため、使用上、スムーズではなく、大きな力が必要とされる。また、直接に、ワイヤ等を引っ張ることにより高枝の剪定をすること、刃の角度を変更することにより、ワイヤ等自身と長尺鋏と間の摩擦が大きくなるため、ワイヤ等が、摩擦によって切断されることがあり、耐用寿命が短縮されるという問題があった。
【考案の開示】
【考案が解決しようとする課題】
【０００４】
従って、本考案の課題は、ロープ、ワイヤ等の刃部を動作させる牽引力伝達部材を用いて刃部をスムーズに、かつ、過大な力を要することなく作動させる長尺鋏の牽引力伝達部材の制御構造を提供することにある。
【課題を解決するための手段】
【０００５】
そこで、本考案者は、前記の本考案の課題を解決するため、鋭意検討を重ねた結果、特定の滑車を要素の一つとすることにより、前記課題を解決できることに着目し、かかる知見に基いて、本考案に想到した。
【０００６】
すなわち、本考案の主な目的は、牽引力伝達部材の両側に、それぞれ、滑車が枢着されるため、牽引力伝達部材は、二つの滑車の間において、変位し、牽引力伝達部材が下方へ引っ張られる時や上方へ戻される時、刈る時或いは角度が変更される時、上記二つの滑車が転動することにより案内され、スムーズに作動でき、使用上、より省力化される長尺鋏の牽引力伝達部材の制御構造を提供することにある。
【０００７】
本考案の他の目的は、滑車が枢着されることにより、牽引力伝達部材と延伸棒の棒体とが隔離され、牽引力伝達部材が引っ張られる時や揺動装置で刈る時或いは切り角度を変更する時、牽引力伝達部材と延伸棒との摩擦を防止でき、これにより、牽引力伝達部材が、摩擦により切断することを防止し、耐用年数が改善された長尺鋏の牽引力伝達部材の制御構造を提供することにある。
【０００８】
かくして、本考案によれば、
請求項１において、二つのブレードを枢着してなる刃部を有し、刃部が、延伸棒の棒体の一端に結合され、牽引力伝達部材によって制御される長尺鋏の牽引力伝達部材の制御構造であって、
刃部と延伸棒との境界において、棒体の端口に、牽引力伝達部材の両側に位置して、滑車で、牽引力伝達部材を挟むように、二つの滑車を枢着してなり、
牽引力伝達部材を引っ張ることにより、二つの滑車が転動し、スムーズに作動させる、
ことを特徴とする長尺鋏の牽引力伝達部材の制御構造が提供される。
【０００９】
請求項２に係る考案によれば、前記刃部が、揺動装置によって、延伸棒の棒体の一端に結合されてなることを特徴とする請求項１に記載の長尺鋏の牽引力伝達部材の制御構造が提供される。
【００１０】
請求項３の考案によれば、前記牽引力伝達部材が、方向変更部材を回ってから、延伸棒内に挿入され、延伸棒の外周に貫設された摺動スリーブの孔部から、挿通してから、端部において、牽引力伝達部材が孔部から引き戻されることを防止するため、結び目を形成してなることを特徴とする請求項１に記載の長尺鋏の牽引力伝達部材の制御構造が提供される。
【００１１】
請求項４の考案によれば、前記滑車の外周に、溝が形成され、牽引力伝達部材が、溝同士の隙間に挟まれることを特徴とする請求項１に記載の長尺鋏の牽引力伝達部材の制御構造が提供される。
【００１２】
請求項５の考案によれば、前記滑車の外側において、延伸棒に、制限シートが結合されることを特徴とする請求項１に記載の長尺鋏の牽引力伝達部材の制御構造が提供される。
【００１３】
請求項６の考案によれば、前記滑車の外側において、制限シートが、スリーブを介して、延伸棒に、結合されてなることを特徴とする請求項５に記載の長尺鋏の牽引力伝達部材の制御構造が提供される。
【００１４】
本考案は、長尺鋏、すなわち、ロング鋏の刃部の作動のための牽引力伝達部材の制御構造、又は制御セットを提供するものであり、牽引力伝達部材と少なくとも後述の特定の滑車及び滑車構造と、長尺鋏の他の構成要素とから構成されるものである。
【００１５】
なお、本考案において、牽引力伝達部材とは、刃部の作動のために用いられるワイヤ、ロープ、ひもその他の索引のための線状手段であり、特に限定されるものではないが必要な引張り強度を有する可撓性のワイヤが好適である。
【考案の効果】
【００１６】
本考案に係る長尺鋏の牽引力伝達構造は前記の構成からなるものであり、過度の力を要することなく、スムーズに刃部を作動させることができ、効率よく作業を行なうことができる。また、長尺鋏と牽引力伝達部材との直接の摩擦の発生を防止することができ、耐用年数を長期化させることができる。
【考案を実施するための最良の形態】
【００１７】
以下、図面を参照しながら、本考案の特徴や技術内容について、具体的に説明する。もっとも、それらの図面等は、参考や説明のためであり、本考案は、それらによって限定されるものではない。
【００１８】
図１乃至図４を参照する。図１乃至図４に示されるように、長尺鋏１は、可動ブレードと固定ブレードとが枢着された刃部１０を有する。刃部１０は、揺動装置１１によって連結され、延伸棒２０の棒体の一端に結合され、牽引力伝達部材３０によって制御され、上記牽引力伝達部材３０は、方向変更部材１２を回った後、延伸棒２０内に挿入され、延伸棒２０に通して、外周に嵌設された摺動スリーブ２１に固定され、摺動スリーブ２１が、延伸棒２０を摺動することにより、牽引力伝達部材３０を索引することができる。これにより、刃部１０の開閉を制御でき、また、刃部１０と延伸棒２０の境界において、棒体の端口に、牽引力伝達部材３０の両側に位置して、滑車４０の外周にある溝４１が対向するように、二つの滑車４０が枢着されるため、牽引力伝達部材３０が滑車４０同士の間に挟まれ、また、上記滑車４０の外側において、延伸棒２０の端部に、スリーブ５１を介して、制限シート５０が結合される。
【００１９】
本考案によれば、長尺鋏を使用しない時、刃部１０の二つのブレードは、常に、開く状態に維持され、樹木の枝がその間に入るようになり、刈る時、摺動スリーブ２１を下方へ摺動させると、牽引力伝達部材３０が、それとともに、下方へ引っ張られ、可動ブレードが、牽引力伝達部材３０によって連動されて、固定ブレードに向かって作動する。刃部１０の二つの刃の間に位置する枝が、切れられ、切り終えると、摺動スリーブ２１を開放すれば、刃部１０の可動ブレードが、その上にあるバネの弾性回復によって元の位置に戻って、牽引力伝達部材３０が、摺動スリーブ２１と、ともに、上へ引かれることになり、開く状態になる。
【００２０】
また、牽引力伝達部材３０の両側に、それぞれ、滑車４０が枢着されるため、牽引力伝達部材３０が、二つの滑車４０の間にスムーズに摺動できる。そのため、牽引力伝達部材３０は、下方へ引っ張れる時や上方へ引き戻される時、刈る時或いは切れ刃の角度を変更する時、上記二つの滑車４０による転動可能に、案内されて、スムーズに作動できる（図５のように）。
【００２１】
これにより、より省力的になり、また、その実用性が大幅に向上され、そして、滑車４０が枢着されることにより、牽引力伝達部材３０と延伸棒２０の棒体が隔離されるため、牽引力伝達部材３０が引っ張られる時や揺動装置１１で切り角度を変更する時、図６のように、牽引力伝達部材３０と延伸棒２０との摩擦が低減され、牽引力伝達部材３０が、相対的に摩耗により断裂することがなく、耐用寿命が改善される。
【００２２】
また、牽引力伝達部材３０は、方向変更部材を回ってから、延伸棒内に挿入され、延伸棒の外周に貫設された摺動スリーブ２１の孔から、通してから、端部において、牽引力伝達部材が孔部から引き戻されることを防止するため、結び目を形成するか、ネジで、摺動スリーブ２１に固定される。
【００２３】
以上は、本考案の好ましい実施形態であり、本考案は、それらによって限定されるものではないことは前記の通りであり、本考案に係る考案登録請求の範囲や明細書の内容に基づいて行った均等の変更や修正は、全てが、本考案の範囲内に含まれることは明らかなことである。
【図面の簡単な説明】
【００２４】
【図１】本考案の一実施形態による長尺鋏の斜視図である。
【図２】本考案の一実施形態による長尺鋏の局部拡大図である。
【図３】本考案の一実施形態による長尺鋏の分解斜視図である。
【図４】本考案の一実施形態による長尺鋏の平面図である。
【図５】本考案の一実施形態による長尺鋏の牽引力伝達部材がスムーズに引っ張られる時の使用状態図である。
【図６】本考案の一実施形態による長尺鋏で刈る時の刃部の作動を示す状態図である。
【符号の説明】
【００２５】
１  長尺鋏
１０  刃部
１１  揺動装置
１２  方向変更部材
２０  延伸棒
２１  摺動スリーブ
３０  牽引力伝達部材（ワイヤ）
４０  滑車
４１  溝
５０  制限シート
５１  スリーブ
【図１】
0003162298.tif 000003
【図２】
0003162298.tif 000004
【図３】
0003162298.tif 000005
【図４】
0003162298.tif 000006
【図５】
0003162298.tif 000007
【図６】
0003162298.tif 000008